(57)【要約】【課題】ダニの浸入の可能性自体をさらに低下させた寝具マットを提供する。【解決手段】少なくともクッション層２の上面の略全平面が、綿４が収納された袋体３によって被覆された寝具マット１であって、寝具マット１の全面に少なくとも１枚のダニ防止用布５が周設されており、寝具マット１に周設されたダニ防止用布同士の接合部が、ヘム巻き加工されたヘムテープ６にて被装されている。【選択図】図１
2018029883.tif 000002
【特許請求の範囲】
【請求項１】
少なくともクッション層の上面の略全平面が、綿が収納された袋体によって被覆された寝具マットであって、前記寝具マットの全面に少なくとも１枚のダニ防止用布が周設されており、前記寝具マットに周設された前記ダニ防止用布同士の接合部が、ヘム巻き加工されたヘムテープにて被装されていることを特徴とする寝具マット。
【請求項２】
前記クッション層の上面および下面の略全平面が、各々、綿が収納された一対の前記袋体によって被覆された請求項１に記載の寝具マット。
【請求項３】
前記クッション層がスプリング層、またはウレタン層である請求項１または２に記載の寝具マット。
【請求項４】
前記クッション層が、芯材としての繊維を充填した繊維層である請求項１または２に記載の寝具マット。
【請求項５】
前記繊維層の前記芯材としての繊維の材質が化繊、固綿、羽毛、ウール、木綿、絹のいずれかである請求項４に記載の寝具マット。
【請求項６】
前記寝具マットの側面に周設されている前記ダニ防止用布が１枚のダニ防止用布である請求項１ないし５のいずれか１項に記載の寝具マット。
【請求項７】
前記寝具マットの全面に周設されている前記ダニ防止用布が１枚のダニ防止用布である請求項１ないし６のいずれか１項に記載の寝具マット。
【請求項８】
前記綿の素材が絹である請求項１ないし７のいずれか１項に記載の寝具マット。
【請求項９】
前記クッション層の側面に通気口が設置されている請求項１ないし８のいずれか１項に記載の寝具マット。
【発明の詳細な説明】
【技術分野】
【０００１】
本発明は、寝具マットに関し、詳しくは、ダニの侵入を防止する寝具マットに関する。
【背景技術】
【０００２】
一般に寝具用マットは、クッション層を、綿を詰めた袋体で被覆したうえで、布地を縫製した袋体内に収容して形成されている。例えば、ベッド用スプリングマットであれば、このクッション層がスプリングを含むスプリング層となっており、和布団用マットであれば、クッション層が芯材としての繊維を含む繊維層となっている。
【０００３】
これらの寝具用マットにおいては、ダニの浸入防止が従来からの課題であった。寝具内にダニが存在することで、ダニに刺されて皮膚に湿疹ができることはもとより、ダニの死骸や糞がアレルギーを誘因するためである。
【０００４】
寝具用マットのダニ防止対策としては、従来から、日干しや、布団乾燥機の高温乾燥空気を用いてダニを殺虫する方法がとられてきた。しかし、これらの方法では、たとえ日干ししたうえで、叩くという最も効果的な方法をとった場合でも、ダニの死骸や糞といったアレルギー誘引物質の除去までは十分にできない場合が多かった。さらに、一般的に大型で、重量のかさむベッド用スプリングマットにおいては、スペース確保の観点から日干しをすることは非常に困難であるうえ、一般家庭用の布団乾燥機とベッド用スプリングマットは接続できる仕様となっていないものが多く、布団乾燥機を用いたダニ防止対策でさえ、ホテル、旅館等に設置されている業務用のものを除いて、実施をすることが非常に困難であった。
【０００５】
そこで、特許文献１に示されるように、ダニ誘因香料を含浸した織物シートによって誘引したダニを粘着剤によって捉えて死滅させるダニ捕獲マットが開発されている。
【０００６】
また、特許文献２に示されるように、ダニやほこりを通さない素材からなる２枚の側地の周縁部を縫合するとともに、この周縁部の一部にファスナを縫合して開閉可能な開閉部を形成した袋状の外装体と、外装体内に収容されたクッション材を具備しており、２枚の側地の縫合部分及びファスナが設けられた開閉部が、ダニやほこりを通さない帯状テープによって覆われたうえで、その帯状テープが接着剤や、両面テープや、ホットメルト樹脂によって外装体の外面に接着されたマットレス装置が開発されている。
【先行技術文献】
【特許文献】
【０００７】
【特許文献１】特開２００６−３４０６０６号公報
【特許文献２】特開２００６−２５５２９３号公報
【発明の概要】
【発明が解決しようとする課題】
【０００８】
しかし、特許文献１のダニ捕獲マットは、ダニの浸入自体を防ぐことはできず、ダニの死骸や糞といったアレルギー誘引物質の除去まではできないうえ、卵の状態のダニの除去もできず、効果は限定的といわざるを得なかった。また、特許文献２のマットレス装置では、ダニやほこりを通さない素材の側地により、ダニの浸入自体が防止できるものの、利用者の就寝、起床、寝返りの長期繰り返し使用による、帯状テープの接着剤や、両面テープや、ホットメルト樹脂の劣化に伴う、ファスナ経由のダニの浸入を防止することは困難であった。
【０００９】
そこで本発明の目的は、ダニの浸入の可能性自体をさらに低下させた寝具マットを提供することにある。
【課題を解決するための手段】
【００１０】
本発明者らは鋭意検討した結果、寝具マットを特定構造とすることにより、上記課題を解決できることを見出して、本発明を完成するに至った。
すなわち、本発明の寝具マットは、少なくともクッション層の上面の略全平面が、綿が収納された袋体によって被覆された寝具マットであって、前記寝具マットの全面に少なくとも１枚のダニ防止用布が周設されており、前記寝具マットに周設された前記ダニ防止用布同士の接合部が、ヘム巻き加工されたヘムテープにて被装されていることを特徴とするものである。
【００１１】
また、クッション層の上面および下面の略全平面が、各々、綿が収納された一対の袋体によって被覆されていることが好ましく、また、クッション層がスプリング層、またはウレタン層であるか、芯材としての繊維を充填した繊維層であることが好ましく、繊維層の場合、芯材としての繊維の材質が化繊、固綿、羽毛、ウール、木綿、絹のいずれかであることが好ましい。また、寝具マットの側面に周設されているダニ防止用布が１枚のダニ防止用布であったり、寝具マットの全面に周設されているダニ防止用布が１枚のダニ防止用布であったりすることが好ましい。さらにまた、綿の素材が絹であることや、クッション層の側面に通気口が設置されていることが好ましい。
【発明の効果】
【００１２】
本発明の寝具マットには、ダニ防止用布が周設されているうえ、ダニ防止用布同士の接合部は、ヘムテープで少なくとも４重に被装されたうえで縫合されている。また、ダニ防止用布の表面にはファスナ等が配設されていない。このため、ダニの浸入の可能性自体をさらに低下させることができ、それにより、ダニの浸入による皮膚の湿疹や、ダニの死骸や糞によって誘引されるアレルギーを一層防止することができる。
【図面の簡単な説明】
【００１３】
【図１】本発明の一実施形態に係る寝具マットの模式的部分断面図である。
【図２】図１に示す寝具マットの組み立て方を示す説明図である。
【図３】６枚のダニ防止用布が周設されている寝具マットの分解斜視図である。
【図４】側面に周設されているダニ防止用布が１枚のダニ防止用布である寝具マットの分解斜視図である。
【図５】全面に周設されているダニ防止用布が１枚のダニ防止用布である寝具マットの斜視図である。
【図６】本発明に係るベッド用マットの使用状態を示す側面図である。
【図７】本発明に係る和布団用マットの使用状態を示す側面図である。
【発明を実施するための形態】
【００１４】
以下、本発明の具体的実施形態について詳細に説明する。
図１に、本発明の一実施形態に係る寝具マットの模式的部分断面図を、図２に、図１に示す寝具マットの組み立て方を示す説明図を、図３に６枚のダニ防止用布が周設されている寝具マットの分解斜視図を示す。図１に示す寝具マット１は、クッション層２と、クッション層２の上面および下面からクッション層２を被覆する、綿４が収納された一対の袋体３と、寝具マット１の全面に周設されたダニ防止用布５とからなり、ダニ防止用布５の接合辺は、ヘムテープ６で被装されたうえで縫合糸７によって縫合される。また、クッション層２の側面には通気口８が設置されている。図１に示す寝具マット１は、ベッド用スプリングマットであり、クッション層２は、スプリングが敷設されたスプリング層である。また、図示はしないが、寝具マット１がベッド用ウレタンマットの場合、クッション層２は、ウレタン層となる。ウレタン層２は、既知のものを使用することができ、特に制限されるべきものではない。
【００１５】
さらにまた、寝具マット１は、和布団用マットであってもいい。図示はしないが、この場合は、クッション層２は、芯材としての繊維を充填した繊維層であり、芯材としての繊維の材質が化繊、固綿、羽毛、ウール、木綿、絹のいずれかであることが好ましい。
【００１６】
ダニ防止用布５は、ダニを通さない目の細かい布地である。ダニを防止する布としては、他にも、ダニを捕獲するタイプや殺虫作用のある薬品を表面に塗ったタイプのものもあるが、これらのタイプの布では、ダニの死骸や糞といったアレルギー誘引物質が布の表面上に残り蓄積してしまうし、衛生面からも好ましくない。ダニ防止用布５の具体例としては、帝人フロンティア株式会社製のミクロガードが挙げられる。ミクロガードは、ポリエステルやナイロンの極細繊維を高密度に織り上げた混紡合成繊維であり、高密度に織り上げた物理的な構造により、ダニの浸入を遮断する。
【００１７】
ヘムテープとは、布の周辺部を縫合する際に使用する縁テープのことであり、ヘム巻き加工とは、ヘムテープの巾方向の両端を、主に接合される布との間に折り込まれる方向に折り返して２重にしたうえで、その２重にした部分を縫合することである。すなわち、「ダニ防止用布の一辺が、ヘム巻き加工されたヘムテープにて被装されている」とは、当該一辺が、巾方向の両端を折り返し２重になった状態のヘムテープ６の、その２重になった両端部同士によって、接合される複数のダニ防止布５の端部が挟み込まれたうえで縫合糸７によって縫合されることで、ダニ防止布５同士が接合されていることを意味する。これにより、接合部分が補強されるばかりでなく、厚みを持った合計４重の被覆により強固な縫合が可能となるため、縫い孔からダニが浸入する可能性をさらに低下させることができる。ヘムテープ６の素材はダニ防止用布５の素材と同一であることが好ましい。
【００１８】
ヘムテープ６は、ダニ防止用布５の接合辺ごとに１本ずつ設置されてもいい。この場合、図２に示すようにし、寝具マット１の頂点では、３つの接合辺のヘムテープにより、最大で、厚みを持った１２重の被覆となり、一層強固な縫合が可能となる。
【００１９】
ヘムテープ６は、１本で、ダニ防止用布５の複数の接合辺にまたがるように設置されてもいい。例えば、上面のダニ防止用布５と側面のダニ防止用布５の接合部の４辺と、下面のダニ防止用布５と側面のダニ防止用布５の接合部の４辺とを各１枚のヘムテープ６でまかなってもよい。この場合、ヘムテープ６の部品点数の低下や、縫合作業の効率向上が可能となる。
【００２０】
なお、ダニ防止用布５やヘムテープ６の表面には、クッション層２を清掃等の目的で入れ替えるためのファスナ等は配設されていない。このため、ダニの浸入をさらに遮断することが可能となる。ダニの浸入を低下できることで、クッション層２を清掃等で入れ替える頻度自体を低下させることができるが、入れ替える場合には防ダニ効果を持続させるために、ダニ防止用布５や、ヘムテープ６をすべて新しいものに取り換えることが望ましい。
【００２１】
図１において、寝具マット１の袋体３に収納された綿４の素材は任意であるが、絹にすることが望ましい。綿４の素材を絹にすることで保湿性が得られる。また、寝具マット１のクッション層２の側面には通気口８が設置されていることが望ましい。通気口８の設置により通気性を確保することができる。綿４の素材が絹になることや、通気口が設置されることで、本発明の寝具マット１は、ダニ防止効果を得ると同時に、しっとり、肌になじむ肌触りや快適な睡眠環境を提供することができることとなる。寝具マット１が通気性や保湿性を得ることで、寝具マット１自体ばかりでなく、その周りの空間も清潔で快適なものとなり、睡眠者が、薄い和布団用マットカバー２１を介しマット上に就寝する和布団用マット２０のみならず（図７参照）、ベッド用マット１０においても（図６参照）、快適な睡眠が得られる環境を提供することができることとなる。
【００２２】
さらに、寝具マット１の側面に周設されているダニ防止用布５は、図４に示すように１枚とすることができる。この場合、ダニ防止用布５は、上面用、下面用各１枚と合わせ合計３枚となり部品点数を低下させることができ、さらに、ダニ防止用布５同士を接合する接合辺を、全１２辺のうち９辺とすることができる。部品点数や接合辺数の低下により縫合の作業効率向上が可能となるうえ、接合辺数の低下により接合辺の縫い孔からのダニの浸入の可能性をさらに低下させることができる。
【００２３】
またさらに、寝具マット１の全面に周設されているダニ防止用布５は、図５に示すように１枚とすることができる。この場合、ダニ防止用布５同士を接合する接合辺はさらに減り、全１２辺のうち７辺とすることができる。部品点数や接合辺数のさらなる低下により縫合のさらなる作業効率向上が可能となるうえ、接合辺数のさらなる低下により接合辺の縫い孔からのダニの浸入の可能性をさらに低下させることができる。
【００２４】
図６に、本発明に係るベッド用マットの使用状態を示す側面図を示す。図６に示す通り、本発明に係るベット用マット１０を使用する場合は、さらにその上に薄い敷き布団であるベッドパット１１を敷いたうえでその上に寝る使用方法が一般的である。本発明に係るベット用マット１０はダニ防止用布５で覆われているが、ベッドパット１１の表面もダニ防止用布５で覆うことで、さらに一層の防ダニ効果を得ることができる。
【００２５】
また、図７に本発明に係る和布団用マットの使用状態を示す側面図を示す。図７に示す通り、本発明に係る和布団用マット２０を使用する場合は、和布団用マット２０を和布団用マットカバー２１で覆ったうえでその上に寝る使用方法が一般的である。本発明に係る和布団用マット２０はダニ防止用布５で覆われているが、和布団用マットカバー２１にもダニ防止用布５を用いることで、さらに一層の防ダニ効果を得ることができる。
【符号の説明】
【００２６】
１  寝具マット
２  クッション層
３  袋体
４  綿
５  ダニ防止用布
６  ヘムテープ
７  縫合糸
８  通気口
１０  ベッド用マット
１１  ベッドパット
２０  和布団用マット
２１  和布団用マットカバー
【図１】
2018029883.tif 000003
【図２】
2018029883.tif 000004
【図３】
2018029883.tif 000005
【図４】
2018029883.tif 000006
【図５】
2018029883.tif 000007
【図６】
2018029883.tif 000008
【図７】
2018029883.tif 000009